(57)【要約】【課題】基板に固定される一対の端子と、一対の端子間に接続される短絡プラグとが備えられているトリップロック端子台において、一対の端子を効率的に接続、非接続とすることができるだけでなく、非接続であることを確実に確認することができ、しかも、コンパクト化を図る。【解決手段】第１，第２の端子１１０，１２０は、導電性の軸部１１１，１２１と、該軸部の先端側に取り付けられた摘み部１１３，１２３と、第１，第２の端子１１０，１２０の軸部１１１，１２１間に接続された短絡プラグ１３０を外れないように付勢する弾性部材１１５とを備えている。摘み部１１３，１２３が一方向に回されることにより、弾性部材１１５によって短絡プラグ１３０が第１，第２の端子１１０，１２０から外れないように接続されていることを確認する目印Ｍが短絡プラグ１３０に設けられている。短絡プラグ１３０は、第１の短絡片１３１と第２の短絡片１３２とに分割されている。【選択図】図２
2011060588.tif 000002
【特許請求の範囲】
【請求項１】
基板に固定される一対の端子と、該一対の端子間に接続される短絡プラグとが備えられているトリップロック端子台であって、
前記各端子は、導電性の軸部と、該軸部の先端側に取り付けられた摘み部と、前記一対の端子の軸部間に接続された短絡プラグを外れないように付勢する弾性部材とを備え、
前記摘み部が一方向に回されることにより、前記弾性部材によって短絡プラグが一対の端子の軸部間から外れないように接続されていることを確認する目印が短絡プラグ又は摘み部に設けられていることを特徴とするトリップロック端子台。
【請求項２】
前記短絡プラグは、基端部が一方の端子の軸部に取り付けられた第１の短絡片と、基端部が他方の端子の軸部に取り付けられた第２の短絡片とに分割され、第１の短絡片と第２の短絡片とは、前記摘み部の回動に伴って回動し、直線状に向けられたときに先端部の表面と裏面とが重なり合う長さとされ、第１の短絡片又は第２の短絡片に第２の短絡片又は第１の短絡片の方に突出する突起が設けられ、第２の短絡片又は第１の短絡片に前記突起が係入する連結孔が設けられ、該突起と連結孔とによって前記目印が構成されていることを特徴とする請求項１に記載のトリップロック端子台。
【請求項３】
前記弾性部材は、一方の端子にのみ備えられ、該端子の軸部が軸方向に移動可能とされていることを特徴とする請求項２に記載のトリップロック端子台。
【請求項４】
前記弾性部材は、第１の短絡片又は第２の短絡片よりも基板側に配置された圧縮バネであることを特徴とする請求項２又は３に記載のトリップロック端子台。
【請求項５】
前記目印は、前記摘み部に突設された外向きの突片によって構成され、摘み部の軸方向の移動及び回動によって移動及び回動する突片を衝止するための並立部材が各端子と並立して基板に立設されていることを特徴とする請求項１に記載のトリップロック端子台。
【発明の詳細な説明】
【技術分野】
【０００１】
本発明は、例えば発変電所の電力保護制御システムにおいて試験用端子台として用いられるトリップロック端子台に関し、詳しくは、一対の端子と、この端子間に接続される短絡プラグとを備えているトリップロック端子台に関する。
【背景技術】
【０００２】
発変電所などの電力保護制御回路として、保護継電器と遮断器とを含む回路が採用されている。保護継電器は、入力された電流データ又は電圧データに異常がある場合において、遮断器を動作させ、負荷側電路の負荷側機器に対する接続を遮断するように構成されている。このような保護継電器と遮断器との間に、トリップロック端子台が接続されている。このトリップロック端子台は、常時は閉路とされ、異常時や定期点検時に開路（ロック）とされる。
【０００３】
このようなトリップロック端子台は、図５に示すように、配電盤などの基板３に固定される一対の端子３１０，３２０と、この端子３１０，３２０に接続される短絡プラグ３３０とを備えている。端子３１０，３２０は、雄ネジを形成した導電性の軸部３１１，３２１と、軸部３１１，３２１の基端側に設けられ、基板３を表裏から挟む取付台３１２，３２２と、軸部３１１，３２１の先端部に螺合する締付ネジ３１３，３２３とを備えている。
【０００４】
短絡プラグ３３０は、導電性の本体部３３１の両端に前記各端子３１０，３２０の軸部３１１，３２１を挟むＣ字形状の結合部３３１a，３３１ａを設け、また、本体部３３１の中間部に絶縁部３３２を設けられたものとされている。
【０００５】
また、基板３には、図６に示すように、端子３１０，３２０の軸部３１１，３２１の基端側が貫通する端子孔（採番せず）が形成されている。基板３の裏面側で突出している各端子３１０，３２０の基端部には、第１の配線１と第２の配線２が接続されている。
【０００６】
このトリップロック端子台は、短絡プラグ３３０の各結合部３３１a，３３１ａが端子３１０，３２０の軸部３１１，３２１を挟む状態で、締付ネジ３１３，３２３を締め付けることによって、第１の配線１と第２の配線２とが導通され、電力監視状態とされる。また、第１の配線１に接続された保護継電器（図示せず）が正常であるかどうかを確認するときは、短絡プラグ３３０が端子３１０，３２０から取り外される。
【０００７】
このようなトリップロック端子台は、一般的に多数配列されている。したがって、短絡プラグ３３０を各端子３１０，３２０に接続するには、締付ネジ３１３，３２３を締め付けなければならないことから、手間がかかり、長時間の作業になってしまう。また、トリップロック端子台は、締付ネジ３１３，３２３の締付状態を目視できないことから、短絡プラグ３３０が締付ネジ３１３，３２３によって確実に接続されていないこと確認できず、通電不良などの事故が発生することがある。
【０００８】
このような不具合を解消するため、２本の配線間の電気的な接続、非接続の操作を迅速かつ簡単に、しかも、誤操作することなく確実に行うことができるようにした試験用端子台が特許文献１に開示されている。この試験用端子台には、図７に示すように、前記のトリップロック端子台と同様、基板３に固定された第１の端子台４１０と第２の端子台４２０が備えられている。
【０００９】
第１の端子台４１０は、基板３の裏面側に配置される第１の配線１が接続される第１配線接続部４１１と、導電性シャフト４１２と、この導電性シャフト４１２を収納する筒状の収納部４１３とを備えている。導電性シャフト４１２は、収納部４１３内にほぼ全体が収納される状態と、基板３の表面側で収納部４１３から突出する状態とをとることができるようにされている。
【００１０】
また、第２の端子台４２０は、基板３の裏面側に配置される第２の配線２が接続される第２配線接続部４２１と、この第２配線接続部４２１と電気的に接続され、かつ、基板３の表面側で第１の端子台４１０の導電性シャフト４１２の先端部と係合するシャフト受部４２２とを備えている。
【００１１】
この試験用端子台は、第１の配線１と第２の配線２とを電気的に接続する場合において、第１の端子台４１０の収納部４１３から導電性シャフト４１２を基端部のみ残して引き出し、図８に示すように、導電性シャフト４１２の先端部を第２の端子台４２０のシャフト受部４２２と係合させる。したがって、この試験用端子台は、第１の配線１と第２の配線２との電気的な接続、非接続の操作を迅速かつ簡単に、しかも誤操作することなく、確実に行うことができるようにされている。
【先行技術文献】
【特許文献】
【００１２】
【特許文献１】特開２００８−７１６４７号公報
【発明の概要】
【発明が解決しようとする課題】
【００１３】
特許文献１に開示された試験用端子台は、第１の配線１と第２の配線２とを電気的に接続しない場合において、導電性シャフト４１２が筒状の収納部４１３内に収納されるため、収納部４１３は、導電性シャフト４１２とほぼ同じ長さとされ、基板３の裏面側に大きく突出している。したがって、この試験用端子台は、基板３の裏面側に余分なスペースがある場合にのみ実施することができ、コンパクト化を図ることができないものとなっている。
【００１４】
そこで、本発明は、基板に固定される一対の端子を効率的に接続、非接続とすることができるだけでなく、非接続であることを確実に確認することができ、しかも、コンパクト化を図ることができるようにしたトリップロック端子台を提供することを課題とする。
【課題を解決するための手段】
【００１５】
本発明に係るトリップロック端子台は、基板に固定される一対の端子と、該一対の端子間に接続される短絡プラグとが備えられているトリップロック端子台であって、前記各端子は、導電性の軸部と、該軸部の先端側に取り付けられてた摘み部と、前記一対の端子の軸部間に接続された短絡プラグを外れないように付勢する弾性部材とを備え、前記摘み部が一方向に回されることにより、前記弾性部材によって短絡プラグが一対の端子の軸部間から外れないように接続されていることを確認する目印が短絡プラグ又は摘み部に設けられていることを特徴としている。
【００１６】
このトリップロック端子台によれば、一対の端子の軸部間に接続された短絡プラグが弾性部材によって外れないようにされることにより、一対の端子を効率的かつ確実に導通状態とすることができる。そして、摘み部が一方向に回されることにより、前記弾性部材によって短絡プラグが一対の端子の軸部間から外れないように接続されていることを確認する目印が短絡プラグ又は摘み部に設けられていることにより、目印を目視するだけで一対の端子が導通状態とされているか否かを確実に確認することができる。
【００１７】
また、前記本発明に係るトリップロック端子台において、前記短絡プラグは、基端部が一方の端子の軸部に取り付けられた第１の短絡片と、基端部が他方の端子の軸部に取り付けられた第２の短絡片とに分割され、第１の短絡片と第２の短絡片とは、前記摘み部の回動に伴って回動し、直線状に向けられたときに先端部の表面と裏面とが重なり合う長さとされ、第１の短絡片又は第２の短絡片に第２の短絡片又は第１の短絡片の方に突出する突起が設けられ、第２の短絡片又は第１の短絡片に前記突起が係入する連結孔が設けられ、該突起と連結孔とによって前記目印が構成されていることが好ましい。
【００１８】
このトリップロック端子台によれば、短絡プラグが第１の短絡片と第２の短絡片とに分割されて各端子に取り付けられ、第１の短絡片と第２の短絡片とは、前記摘み部の回動に伴って回動し、直線状に向けられたときに、第１の短絡片又は第２の短絡片に設けられた突起が第２の短絡片又は第１の短絡片に設けられた連結孔内に係入することによって一対の端子を確実に通電状態とすることができる。そして、前記突起と連結孔とによって目印が構成され、突起が連結孔内に係入していることにより、一対の端子が通電状態となっていることを確実に確認することができ、突起が連通孔内に径入していないことにより、一対の端子が通電状態となっていないことを確実に確認することができる。
【００１９】
また、前記本発明に係るトリップロック端子台において、前記弾性部材は、一方の端子にのみ備えられ、該端子の軸部が軸方向に移動可能とされていることが好ましい。
【００２０】
このトリップロック端子台によれば、他方の端子には、弾性部材が備えられていないため、他方の端子の短絡片は軸方向に移動しない。そして、一方の端子に備えられた短絡片は、摘み部が押されることによって弾性部材の弾性力に抗して軸方向に移動し、一方の短絡片の突起が他方の短絡片に衝突しない位置で回され、突起と連結孔とが向き合った後、摘み部を押さない状態とすることにより、一方の短絡片が弾性部材に付勢され、突起が連結孔内に係入し、両短絡片を接続した短絡プラグとすることができる。
【００２１】
また、前記本発明に係るトリップロック端子台において、前記弾性部材は、第１の短絡片又は第２の短絡片よりも基板側に配置された圧縮バネであることが好ましい。
【００２２】
このトリップロック端子台によれば、第１又は第２の短絡片よりも基板側に配置された圧縮バネによって弾性部材が構成されていることにより、圧縮バネは摘み部が押されることによって圧縮され、摘み部が押されないことによって第１又は第２の短絡片を押戻すように軸方向に移動させ、バネ力によって突起が連結孔内に係入するものとすることができる。
【００２３】
また、前記本発明に係るトリップロック端子台において、前記目印は、前記摘み部に突設された外向きの突片によって構成され、摘み部の軸方向の移動及び回動によって移動及び回動する突片を衝止するための並立部材が各端子と並立して基板に立設されていてもよい。
【００２４】
このトリップロック端子台によれば、短絡プラグが一対の端子間に弾性部材によって外れないように接続された状態で、弾性部材の付勢力に抗して、摘み部を軸方向に押し、そして周方向に回して、一対の端子を通電状態とする。摘み部が回され、押さないようにすることにより、摘み部に突設された突片が並立部材に衝止し、弾性部材によって短絡プラグが一対の端子から外れないようにされる。そして、突片によって目印が構成され、突片が並立部材に衝止していることを目視することにより、一対の端子が通電状態とされていることを確認し、突片が並立部材に衝止していないことを目視することにより、一対の端子が通電状態とされていないことを確認することができる。
【発明の効果】
【００２５】
本発明によれば、一対の端子を効率的に接続することができるため、接続作業の迅速化を図ることができるトリップロック端子台を提供することができる。また、非接続であることを確実に確認することができるため、このトリップロック端子台に接続された機器の誤動作を防止することができる。さらに、端子が基板の裏面側に長く突出しないため、コンパクト化を図ることができる。
【図面の簡単な説明】
【００２６】
【図１】本発明に係るトリップロック端子台の第１の実施形態であって、（ａ）は接続する前の状態を示す正面図、（ｂ）は同じく側面図、（ｃ）は一部分を拡大した側面図である。
【図２】本発明に係るトリップロック端子台の第１の実施形態であって、（１ａ）は接続する途中の状態を示す正面図、（１ｂ）は同じく側面図、（２ａ）は接続する途中の最終状態を示す正面図、（２ｂ）は同じく側面図、（３ａ）は接続後の状態を示す正面図、（３ｂ）は同じく側面図である。
【図３】本発明に係るトリップロック端子台の第２の実施形態であって、（ａ）は接続する前の状態を示す正面図、（ｂ）は同じく側面図である。
【図４】本発明に係るトリップロック端子台の第２の実施形態であって、（１ａ）は接続する途中の状態を示す正面図、（１ｂ）は同じく側面図、（２ａ）は接続後の状態を示す正面図、（２ｂ）は同じく側面図である。
【図５】第１の従来のトリップロック端子台を示す斜視図である。
【図６】第１の従来のトリップロック端子台を示す断面側面図である。
【図７】第２の従来のトリップロック端子台を示す断面側面図である。
【図８】第２の従来のトリップロック端子台を示す斜視図である。
【発明を実施するための形態】
【００２７】
〔実施の形態１〕
本発明に係るトリップロック端子台の第１の実施の形態について図１及び図２を参照しながら説明する。このトリップロック端子台は、配電盤などの基板３に固定される一対の端子（以下、「第１の端子」「第２の端子」という。）１１０，１２０と、第１の端子１１０と第２の端子１２０とに接続される短絡プラグ１３０とを備えている。
【００２８】
第１，第２の端子１１０，１２０は、導電性の軸部１１１，１２１と、この軸部１１１，１２１の基端側に設けられて基板３に固定される取付台１１２ａ，１１２ｂ，１２２ａ，１２２ｂと、軸部１１１，１２１の先端側に取り付けられた摘み部１１３，１２３と、摘み部１１３，１２３の基端側の端面に固定された絶縁盤１１４，１２４と第１，第２の端子１１０，１２０に接続された短絡プラグ１３０が外れない、すなわち、接続状態を維持する弾性部材１１５とを備えている。
【００２９】
なお、基板３には、第１，第２の端子１１０，１２０の軸部１１１，１２１が貫通する端子孔（採番せず）が設けられている。そして、基板３の裏面側に突出した第１，第２の端子１１０，１２０の各軸部１１１，１２１の先端部に第１，第２の配線１，２が接続され、第１，第２の配線１，２はそれぞれ取付台１１２ａ，１２２ａに固定されている。そして、第１，第２の端子１１０，１２０の各軸部１１１，１２１は、第１，第２の配線１，２を接続するために必要なだけ基板３の裏面側に短く突出している。
【００３０】
そして、第１の端子１１０の摘み部（以下、「第１の摘み部」という。）１１３と第２の端子１２０の摘み部（以下、「第２の摘み部」という。）１２３は、ローレットのような滑止めを設けた頭部１１３ａ，１２３ａと、この頭部１１３ａ，１２３ａから取付台１１２ａ，１１２ｂ，１２２ａ，１２２ｂの方に突出した筒状部１１３ｂ，１２３ｂとを同軸に一体成形したものとされている。なお、頭部１１３ａ，１２３ａは、図示したように筒状部１１３ｂ，１２３ｂよりも拡径したものとするほか、筒状部１１３ｂ，１２３ｂと同じ外径としてもよい。
【００３１】
また、第１，第２の摘み部１１３，１２３は、ともに筒状部１１３ｂ，１２３ｂ内に軸部１１１，１２１が挿入され、軸部１１１，１２１と一体化され、摘み部１１３，１２３が回動すると、軸部１１１，１２１も回動するようにされている。したがって、軸部１１１，１２１の先端部に接続された第１，第２の配線１，２は、軸部１１１，１２１が回動しても外れないようにされている。
【００３２】
そして、第１の摘み部１１３と軸部１１１とが軸方向に移動することができるように、軸部１１１が取付台１１２ａ，１１２ｂに保持されている。また、基板３の裏面側の取付台１１２ａは、図１（ｃ）に示すように、軸部１１１が貫通する貫通穴を形成した有底筒状に形成され、軸部１１１の基端側には鍔部１１１ｃが設けられ、鍔部１１１ｃがこの取付台１１２ａの底部１１２ｃに衝止することによって、軸部１１１が押し出されすぎないようにされている。また、第２の摘み部１２３を一体化した軸部１２１は、軸方向に移動せず、取付台１２２ａ，１２２ｂに回動可能に固定されている。
【００３３】
そして、短絡プラグ１３０は、第１の端子１１０に取り付けられた長方形の板状の第１の短絡片１３１と、第２の端子１２０に取り付けられた長方形の板状の第２の短絡片１３２とに分割されている。この第１の短絡片１３１と第２の短絡片１３２は、基端部が軸部１１１，１２１に固定され、摘み部１１３，１２３の回動に伴って回動するようにされている。なお、この第１の短絡片１３１と第２の短絡片１３２と摘み部１１３，１２３の筒状部１１３ｂ，１２３ｂとの間に絶縁盤１１４，１２４が介在している。
【００３４】
そして、第１，第２の短絡片１３１，１３２は、正面視で９０°の範囲で回動するようにしてもよいし、３６０°の範囲で回動するようにしてもよい。また、第１の短絡片１３１と第２の短絡片１３２は、同一方向に回動するようにしてもよいし、反対方向に回動するようにしてもよい。
【００３５】
そして、第１の短絡片１３１と第２の短絡片１３２は、向き合って直線状になったときに先端部の表面と裏面とが重なり合う長さとされている。また、第１の短絡片１３１の表面と第２の短絡片１３２の裏面とが重なり合うように、第１の短絡片１３１は第２の短絡片１３２よりも基板３側に寄った位置で軸部１１１に取り付けられている。
【００３６】
そして、第１の短絡片１３１の先端部の表面には、突起１３１ａが設けられ、第２の短絡片１３２の先端部には、この突起１３１ａが係入する連結孔１３２ａが設けられている。この第１の短絡片１３１の突起１３１ａと第２の短絡片１３２の連結孔１３２ａによって、第１の端子１１０と第２の端子１２０とが接続されたか接続されていないかを確認する目印Ｍとされる。なお、第１の短絡片１３１に連結孔１３２ａを設け、第２の短絡片１３２に突起１３１ａを設けてもよい。
【００３７】
そして、第１の短絡片１３１と第１の端子１１０の取付台１１２ｂとの間に弾性部材１１５が介在している。この弾性部材１１５は、摘み部１１３が取付台１１２ｂの方に押圧されると圧縮され、第１の短絡片１３１を基板３の方へ変位させ、この押圧が解放されると、摘み部１１３を押し戻し、第１の短絡片１３１を元の位置に復帰するようにするもので、例えば圧縮バネやゴムなどが使用されるが、以下、圧縮バネ１１５として説明する。
【００３８】
ここで、第１の端子１１０と第２の端子１２０とを短絡プラグ１３０によって接続する方法について説明する。
【００３９】
第１の端子１１０と第２の端子１２０とが短絡プラグ１３０によって接続されていないトリップロック端子台は、図１（ａ）（ｂ）に示すように、第１の短絡片１３１と第２の短絡片１３２が正面視で横向きとされている。この第１の短絡片１３１と第２の短絡片１３２の向きにより、第１の端子１１０と第２の端子１２０とが接続されていないことを確実に確認することができる。
【００４０】
そして、第１の端子１１０と第２の端子１２０とを接続するには、まず図２（１ａ）（１ｂ）に示すように、第１の摘み部１３１と第２の摘み部１２３をともに正面視で時計方向に回し、第１の短絡片１３１と第２の短絡片１３２を正面視で時計方向に回す。ただし、第１の摘み部１１３は、圧縮バネ１１５のバネ力に抗して取付台１１２ｂの方に押圧しながら回すことにより、第１の短絡片１３１の突起１３１ａが第２の短絡片１３２に衝突しないようにする。
【００４１】
なお、第１の摘み部１１３が押圧されることにより、軸部１１１も移動するが、軸部１１１に設けられた鍔部１１１ｃが取付台１１２ａの底部１１２ｃに衝止することにより、軸部１１１が移動しすぎることがないようにされている。
【００４２】
そして、図２（２ａ）（２ｂ）に示すように、第１の短絡片１３１と第２の短絡片１３２とが向き合って直線状になったときに、第１の短絡片１３１の先端部の表面側と第２の短絡片１３２の先端部の裏面側とが間隔を空けて向かい合い、第１の短絡片１３１の突起１３１ａが第２の短絡片１３２の連結孔１３２ａと対峙した状態となる。
【００４３】
そして、最後に第１の摘み部１１３を押圧しないようにすると、図２（３ａ）（３ｂ）に示すように、圧縮バネ１１５のバネ力によって第１の短絡片１３１及び第１の摘み部１１３が取付台１１２ｂから離間する方向に付勢され、第１の短絡片１３１の突起１３１ａが第２の短絡片１３２の連結孔１３２ａ内に径入し、第１の端子１１０と第２の端子１２０とが接続された第１の短絡片１３１と第２の短絡片１３２とによって効率的かつ確実に接続される。
【００４４】
また、第１の短絡片１３１は圧縮バネ１１５によって付勢されていることにより、第１の摘み部１１３が押圧されない限り、第１の短絡片１３１と第２の短絡片１３２とは接続された状態を維持する。
【００４５】
そして、このトリップロック端子台は、目印Ｍを目視することにより、すなわち第１の短絡片１３１の突起１３１ａが第２の短絡片１３２の連結孔１３２ａ内に径入していることを目視することにより、接続された第１の短絡片１３１と第２の短絡片１３２によって第１の端子１１０と第２の端子１２０が通電状態とされていることを確認することができる。
【００４６】
また、第１の端子１１０と第２の端子１２０とを通電しない状態とするには、第１の摘み部１１３を押圧し、第１の短絡片１３１の突起１３１ａを第２の短絡片１３２の連結孔１３２ａから外し、第１の摘み部１１３と第２の摘み部１２３を正面視で反時計方向又は時計方向に回すことによって、第１の短絡片１３１と第２の短絡片１３２を横向きとする。両短絡片１３１，１３２が横向きになっていることを目視することにより、両端子１１０，１２０が通電状態にされていないことを確実に確認することができる。
【００４７】
また、このトリップロック端子台は、第１の短絡片１３１と第２の短絡片１３２とが横向きとなることにより、第１の短絡片１３１と第２の短絡片１３２とに試験機（図示せず）を接続しやすいものとすることができる。
【００４８】
なお、本発明は、第１の実施の形態において種々変更することができる。例えば、試験機の接続のしやすさよりも、短絡プラグ１３０の接続のしやすさを優先する場合は、第２の摘み部１２３は回転しない固定のものとしてもよい。
【００４９】
また、第１の端子１１０は、軸部１１１が移動するのではなく固定し、第１の摘み部１１３が軸方向に移動し、この第１の摘み部１１３に第１の短絡片１３１を固定したものとしてもよい。また、第２の端子１２０は、圧縮バネなどの付勢部材を取付台１２２ｂと第２の短絡片１３２との間に介在させ、第２の短絡片１３２が摘み部１２３の方に押し付けられるようにしてもよい。
【００５０】
〔実施の形態２〕
本発明に係るトリップロック端子台の第２の実施の形態について図３及び図４を参照しながら説明する。このトリップロック端子台は、第１の実施形態と同様、配電盤などの基板３に固定される一対の端子（以下、「第１の端子」「第２の端子」という。）２１０，２２０と、第１の端子２１０と第２の端子２２０とに接続される短絡プラグ２３０とを備えている。
【００５１】
第１，第２の端子２１０，２２０は、導電性の軸部２１１，２２１と、この軸部２１１，２２１の基端側に設けられて基板３に固定される取付台２１２，２２２と、軸部２１１，２２１の先端側に取り付けられて軸方向に移動可能かつ周方向に回動可能とされた摘み部２１３，２２３と、軸部２１１，２２１の中間部に軸方向に移動可能に取付けられたドーナツ盤状の座盤２１４，２２４と、この座盤２１４，２２４と摘み部２１３，２２３との間に介在させた弾性部材２１５，２２５とを備えている。
【００５２】
基板３の裏面側において、第１の端子２１０の軸部２１１と第２の端子２２０の軸部２２１の各基端部には、第１の配線１と第２の配線２が接続されている。第１，第２の端子２１０，２２０の各軸部２１１，２２１は、第１，第２の配線１，２を接続するために必要なだけ基板３の裏面側に短く突出している。
【００５３】
そして、弾性部材２１５，２２５は、座盤２１４，２２４を取付台２１２，２２２の方へ付勢するためのもので、例えば圧縮バネやゴムなどが使用されるが、以下、圧縮バネを使用するとして説明する。なお、圧縮バネ２１５，２２５は、第１の端子２１０の摘み部（以下、「第１の摘み部」という。）２１３と第２の端子２２０の摘み部（以下、「第２の摘み部」という。）２２３を取付台２１２，２２２から離間する方向に付勢するようにも作用する。
【００５４】
そして、第１，第２の摘み部２１３，２２３は、ローレットのような滑止めを設けた頭部２１３a，２２３ａと、この頭部２１３a，２２３ａから取付台２１２，２２２の方に突出した筒状部２１３ｂ，２２３ｂとを同軸に一体成形したものとされている。そして、頭部２１３a，２２３ａは、図示したように筒状部２１３ｂ，２２３ｂよりも拡径したものとするほか、筒状部２１３ｂ，２２３ｂと同じ外径としてもよい。
【００５５】
また、第１，第２の摘み部２１３，２２３は、ともに筒状部２１３ｂ，２２３ｂ内に軸部２１１，２２１が挿入され、ともに軸方向に移動可能とされている。そして、第１，第２の摘み部２１３，２２３の筒状部２１３ｂ，２２３ｂに突片２１３ｃ，２２３ｃが突設されている。突片２１３ｃ，２２３ｃは、第１，第２の摘み部２１３，２２３が回されることによって内向きの姿勢から外向きの姿勢に方向転換することができるようにされている。
【００５６】
そして、第１の端子２１０と第２の端子２２０の外側に並立する柱状の並立部材２４０，２４０が基板３から立設されている。並立部材２４０，２４０の先端部は、第１、第２の摘み部２１３，２２３と対峙し、前記第１，第２の摘み部２１３，２２３の各突片２１３ｃ，２２３ｃを衝止するストッパ２４１，２４１と、回り止め部２４２，２４２とを設けたものとされている。
【００５７】
ストッパ２４１，２４１は、外向きとなった突片２１３ｃ，２２３ｃを衝止する。第１，第２の摘み部２１３，２２３が圧縮バネ２１５，２２５によって取付台２１２，２２２から離間する方向に付勢されるが、突片２１３ｃ，２２３ｃがストッパ２４１，２４１に衝止することにより、第１，第２の摘み部２１３，２２３は、その位置で停止する。
【００５８】
また、第１，第２の摘み部２１３，２２３が回されることによって外向きとなった突片２１３ｃ，２２３ｃは、回り止め部２４２，２４２に衝止して、回りすぎないようにされている。したがって、回り止め部２４２，２４２は、ストッパ２４１，２４１と隣り合って設けられている。
【００５９】
そして、第２の実施の形態のトリップロック端子台は、第１，第２の摘み部２１３，２２３の突片２１３ｃ，２２３ｃによって、短絡プラグ２３０が第１の端子２１０と第２の端子２２０とに接続されていることを確認する目印Ｍとされている。すなわち、突片２１３ｃ，２２３ｃが回り止め部２４２，２４２に衝止していることを目視して、短絡プラグ２３０が第１の端子２１０と第２の端子２２０とに接続されていることを確認することができる。
【００６０】
したがって、ストッパ２４１，２４１は、回り止め部２４２，２４２に衝止した突片２１３ｃ，２２３ｃを目視することができるように、第１，第２の摘み部２１３，２２３の頭部２１３a，２２３ａの外周面との間に間隔を空ける大きさとされ、あるいは、図示しないが、回り止め部２４２，２４２に衝止した突片２１３ｃ，２２３ｃの側部がストッパ２４１，２４１の側部から食み出るようにして、目印Ｍが設けられる。
【００６１】
そして、短絡プラグ２３０は、従来から使用されている普及品が使用される。すなわち、短絡プラグ２３０は、導電性の本体部２３１の両端に第１，第２の端子２１０，２２０の軸部２１１，２２１を挟むＣ字形状の結合部２３１ａ，２３１ａを設け、また、本体部２３１の中間部に絶縁部２３２を設けられたものとされている。なお、図２に示した短絡プラグ２３０は、図５に示した短絡プラグ３３０と形状が異なっているが、第２の実施形態においても、図５に示した形状の短絡プラグ３３０を使用してもよい。
【００６２】
ここで、第１の端子２１０と第２の端子２２０とを短絡プラグ２３０によって接続する方法について説明する。
【００６３】
第１の端子２１０と第２の端子２２０が短絡プラグ２３０によって接続されていない非接続のトリップロック端子台は、図３（ａ）（ｂ）に示すように、第１の摘み部２１３の突片２１３ｃと第２の摘み部２２３の突片２２３ｃが並立部材２４０，２４０のストッパ２４１，２４１を結ぶラインに並び、第１の摘み部２１３と第２の摘み部２２３が取付台２１２，２２２から離間して、取付台２１２，２２２と座盤２１４，２２４との間に間隔が空けられている。
【００６４】
そして、第１の端子２１０と第２の端子２２０とを接続するには、図４（１ａ）（１ｂ）に示すように、前記間隔が空けられた部位に短絡プラグ２３０の各結合部２３１ａ，２３１ａを配置し、各結合部２３１ａ，２３１ａが第１，第２の端子２１０，２２０の軸部２１１，２２１を挟むようにする。
【００６５】
そして、圧縮バネ２１５，２２５のバネ力に抗して、第１の端子２１０の摘み部２１３と第２の端子２２０の摘み部２２３をそれぞれ押圧し、座盤２１４，２２４が短絡プラグ２３０の結合部２３１ａ，２３１ａを取付台２１２，２２２の方に押し付けるようにする。この状態において、第１の摘み部２１３の突片２１３ｃと第２の摘み部２２３の突片２２３ｃは、並立部材２４０，２４０の回り止め部２４２，２４２を結ぶラインに並ぶ。
【００６６】
そして、図４（２ａ）（２ｂ）に示すように、第１の摘み部２１３及び第２の摘み部２２３を回す。第１，第２の摘み部２１３，２２３は、突片２１３ｃ，２２３ｃが並立部材２４０，２４０の回り止め部２４２，２４２に当たることによって、それ以上回らない。
【００６７】
続いて、第１の摘み部２１３及び第２の摘み部２２３の押圧を止める。すると、圧縮バネ２１５，２２５のバネ力によって第１，第２の摘み部２１３，２２３が取付台２１２，２２２から離間する方向に付勢される。しかし、第１，第２の摘み部２１３，２２３の突片２１３ｃ，２２３ｃが並立部材２４０，２４０のストッパ２４１，２４１に衝止して、第１，第２の摘み部２１３，２２３はそれ以上、取付台２１２，２２２から離間しない。
【００６８】
そして、圧縮バネ２１５，２２５が座盤２１４，２２４を押圧し、座盤２１４，２２４と取付台２１２，２２２との間に挟まれた短絡プラグ２３０の結合部２３１ａ，２３１ａが圧縮バネ２１５，２２５に付勢され、外れないようにされた短絡プラグ２３０によって第１の端子２１０と第２の端子２２０とが接続される。
【００６９】
このようにして、このトリップロック端子台は、第１の端子２１０と第２の端子２２０とを効率的かつ確実に接続し、通電状態とすることができる。また、目印Ｍを目視することによって、すなわち、突片２１３ｃ，２２３ｃが並立部材２４０，２４０の回り止め部２４２，２４２に衝止していることを目視することにより、第１の端子２１０と第２の端子２２０が短絡プラグ２３０によって接続されていることを確実に確認することができる。
【００７０】
そして、第１の端子２１０と第２の端子２２０とを非接続とするには、第１，第２の摘み部２１３，２２３を前記と反対方向又は同一方向に回し、突片２１３ｃ，２２３ｃが並立部材２４０，２４０のストッパ２４１，２４１から外れるようにする。そうすると、圧縮バネ２１５，２２５のバネ力によって、第１の摘み部２１３と第２の摘み部２２３が図３（ａ）（ｂ）に示すように、取付台２１２，２２２から離間する。
【００７１】
そして、取付台２１２，２２２と座盤２１４，２２４との間にバネ力が加えられなくなり、取付台２１２，２２２と座盤２１４，２２４との間から短絡プラグ２３０の結合部２３１ａ，２３１ａを外し、第１の端子２１０と第２の端子２２０とが短絡プラグ２３０によって接続されなくなることにより、導通されない状態とすることができる。
【００７２】
また、目印Ｍによって、すなわち、突片２１３ｃ，２２３ｃが並立部材２４０，２４０の回り止め部２４２，２４２に衝止していないことを目視することにより、さらに、第１の端子２１０と第２の端子２２０との間に短絡プラグ２３０の絶縁部２３２がないことを目視することにより、第１の端子２１０と第２の端子２２０とが接続されていないことを確認することができる。
【００７３】
なお、本発明は、第２の実施の形態において種々変更することができる。例えば、第２の実施形態では、第１，第２の摘み部２１３，２２３が回転すればよく、軸部２１１，２２１が回転しなくてもよいため、軸部２１１，２２１を基板３に直接、固定してもよく、この場合は取付台２１２，２２２を備えないものとしてもよい。
【符号の説明】
【００７４】
３……………………………基板
１１０，２１０……………（第１の）端子
１２０，２２０……………（第２の）端子
１１１，２１１……………軸部
１２１，２２１……………軸部
１１３，２１３……………（第１の）摘み部
２１３ｃ，２２３ｃ………突片
１２３，２２３……………（第２の）摘み部
１１５，２１５，２２５…弾性部材（圧縮バネ）
１３０，２３０……………短絡プラグ
１３１………………………第１の短絡片
１３１ａ……………………突起
１３２………………………第２の短絡片
１３２ａ……………………連結孔
２４０………………………並立部材
Ｍ……………………………目印
【図１】
2011060588.tif 000003
【図２】
2011060588.tif 000004
【図３】
2011060588.tif 000005
【図４】
2011060588.tif 000006
【図５】
2011060588.tif 000007
【図６】
2011060588.tif 000008
【図７】
2011060588.tif 000009
【図８】
2011060588.tif 000010